(57)【要約】      （修正有）【課題】抽出用バッグは、カップに設置し、抽出作業を進行させたときに、安定的に袋体を持上げ支持できる。また、サイドフックタイプなので、被充填物を充填しながら縦横シールする製袋充填装置を利用して製造できる。【解決手段】ホルダーには、固着部分を跨いで配され、前記固着部分で二つ折りされて両側が引き起こされる袋体支持部の両側方に設けられた一対の係止用逆凹部と、一対の係止凹部に両端側がそれぞれ連結された抱持部２９とを備え、合計４つの係止用逆凹部でカップＣの開口縁に係止させたときに抱持部２９がカップＣを外方から抱持する【選択図】図５
2015146932.tif 000002
【特許請求の範囲】
【請求項１】
フィルター機能を有する包材シートにより構成された袋体と、前記袋体の両側面にそれぞれ被さって固着された一対のホルダーとを有し、抽出時には前記袋体を開封するタイプの抽出用バッグにおいて、
前記ホルダーには、固着部分を跨いで配され、前記固着部分で二つ折りされて両側が引き起こされる袋体支持部の両側方に設けられた一対の係止用逆凹部と、前記一対の係止凹部に両端側がそれぞれ連結された抱持部とを備え、合計４つの係止用逆凹部でカップの開口縁に係止させたときに前記抱持部が前記カップを外方から抱持することを特徴とする抽出用バッグ。
【請求項２】
請求項１に記載した抽出用バッグにおいて、
抱持部は、横長の帯状で、袋体支持部の二つ折り部の延長上に折り線が形成されており、カップを抱持するときに前記折り線を頂部として外方に張り出すことを特徴とする抽出用バッグ。
【請求項３】
請求項１または２に記載した抽出用バッグにおいて、
係止用逆凹部の外方側部は内方側部より下方に延長されており、この延長部分に抱持部が連結されていることを特徴とする抽出用バッグ。
【請求項４】
請求項３に記載した抽出用バッグにおいて、
係止用逆凹部の外方側部の延長部分の内側に抱持部が連結されていることを特徴とする抽出用バッグ。
【請求項５】
請求項４に記載した抽出用バッグにおいて、
係止用逆凹部の外方側部は折り線を介して袋体支持部側から立ち上がっていることを特徴とする抽出用バッグ。
【請求項６】
請求項１から５のいずれかに記載した抽出用バッグにおいて、
袋体支持部と抱持部との間には、前記袋体支持部と固着された中心部分で連続し、袋体に固着された袋体下側補強部が配されていることを特徴とする抽出用バッグ。
【請求項７】
請求項１から６のいずれかに記載した抽出用バッグにおいて、
袋体支持部の上側には、前記袋体支持部と固着された中心部分で連続し、平袋体に固着された袋体上側補強部が配されていることを特徴とする抽出用バッグ。
【請求項８】
請求項１から７のいずれかに記載した抽出用バッグにおいて、
袋体は二つ折り辺を分離して開封するものであり、前記二つ折り辺には易破断線が形成されていることを特徴とする抽出用バッグ。
【請求項９】
請求項１から７のいずれかに記載した抽出用バッグにおいて、
袋体は、カップに係止したときに、いずれかの角頂部が下端にくるように、ホルダーが固着されていることを特徴とする抽出用バッグ。
【請求項１０】
連続した長尺の包材シートであって、その長手側に当たる縦方向両縁部を互いに重ね合わせ縦シールして筒状にすると共に、前記筒状体に対して所定の間隔をおいて上下二箇所から横シールすることにより、請求項８に記載した抽出用バッグに製袋化するのに使用するホルダー固着済みの包材シート。
【発明の詳細な説明】
【技術分野】
【０００１】
本発明は、コーヒー粉等の抽出に用いる抽出用バッグに係り、詳しくは、濾紙や不織布等からなるフィルター機能を有する包材シートで構成された袋体と、その袋体を支持するホルダーを備え、使用時にはそのホルダーをカップの開口縁に係止させ、抽出したものをカップ内に滴下する「サイドフックタイプ」の抽出用バッグに関するものである。
【背景技術】
【０００２】
コーヒー粉の抽出に用いる抽出用バッグには、矩形のフィルター材が二つ折りされ周縁である三辺が重ね合わされ、超音波シールやヒートシール等の手法でその三辺側がシール封止されて扁平な矩形状の平袋体に成形され、その平袋体の中にカップ一杯相当分のコーヒー粉が充填されたものがある。サイドフックタイプの場合には、厚紙等により構成されたホルダーが、上記した平袋体の両側面に被さった状態で重ね合わされており、その一部が固着されている。
かかる抽出用バッグを使用する場合には、平袋体のシール部分を切り開いて開封すると共に、上記したホルダーに設けられた係止部を引き起こし、カップの開口縁に係止させることで、カップに設置する。
【先行技術文献】
【特許文献】
【０００３】
【特許文献１】特開２０１０−１１０３３５号公報
【特許文献２】特開２０１０−３６０００号公報
【発明の概要】
【発明が解決しようとする課題】
【０００４】
特許文献１に示す抽出用バッグでは、Ｖ字状部分の折り目だけを利用してカップの開口縁に掛けており、開口した袋体に湯を注ぐと、その湯の重さに負けてその折り目が拡開し、袋体側が下降していき、途中からは抽出液（コーヒー）に浸漬してしまう場合もある。
而して、コーヒーの美味しさを存分に引き出すには、袋内で抽出され、それがカップ内に徐々に滴下することが必要であり、上記したような袋体が浸漬した状態でのコーヒー粉の抽出は好ましくない。
【０００５】
一方、特許文献２に記載のようなトップフックタイプの場合には、袋体を吊下げ支持しても袋体の下端は比較的上方にもってこれ、浸漬状態は回避できるが、サイドフックタイプの場合、連続した長尺の包材シートに予めホルダーを固着させたものを利用し、製袋充填装置にかけて連続的に製袋充填でき、製造効率が良いので、この利点はそのまま生かしたい。
【０００６】
それ故、本発明は、サイドフックタイプの抽出用バッグに関して、上記した問題点を解消した、新規且つ有用なものを提供することを、その目的とする。
また、上記した抽出用バッグを製袋充填装置にかけて製造するときに使用する包材シートを提供することを、その目的とする。
【課題を解決するための手段】
【０００７】
本発明は、上記目的を達成するために、請求項１の発明は、フィルター機能を有する包材シートにより構成された袋体と、前記袋体の両側面にそれぞれ被さって固着された一対のホルダーとを有し、抽出時には前記袋体を開封するタイプの抽出用バッグにおいて、前記ホルダーには、固着部分を跨いで配され、前記固着部分で二つ折りされて両側が引き起こされる袋体支持部の両側方に設けられた一対の係止用逆凹部と、前記一対の係止凹部に両端側がそれぞれ連結された抱持部とを備え、合計４つの係止用逆凹部でカップの開口縁に係止させたときに前記抱持部が前記カップを外方から抱持することを特徴とする抽出用バッグである。
【０００８】
請求項２の発明は、請求項１に記載した抽出用バッグにおいて、抱持部は、横長の帯状で、袋体支持部の二つ折り部の延長上に折り線が形成されており、カップを抱持するときに前記折り線を頂部として外方に張り出すことを特徴とする抽出用バッグである。
【０００９】
請求項３の発明は、請求項１または２に記載した抽出用バッグにおいて、係止用逆凹部の外方側部は内方側部より下方に延長されており、この延長部分に抱持部が連結されていることを特徴とする抽出用バッグである。
【００１０】
請求項４の発明は、請求項３に記載した抽出用バッグにおいて、係止用逆凹部の外方側部の延長部分の内側に抱持部が連結されていることを特徴とする抽出用バッグである。
【００１１】
請求項５の発明は、請求項４に記載した抽出用バッグにおいて、係止用逆凹部の外方側部は折り線を介して袋体支持部側から立ち上がっていることを特徴とする抽出用バッグである。
【００１２】
請求項６の発明は、請求項１から５のいずれかに記載した抽出用バッグにおいて、袋体支持部と抱持部との間には、前記袋体支持部と固着された中心部分で連続し、袋体に固着された袋体下側補強部が配されていることを特徴とする抽出用バッグである。
【００１３】
請求項７の発明は、請求項１から６のいずれかに記載した抽出用バッグにおいて、袋体支持部の上側には、前記袋体支持部と固着された中心部分で連続し、平袋体に固着された袋体上側補強部が配されていることを特徴とする抽出用バッグである。
【００１４】
請求項８の発明は、請求項１から７のいずれかに記載した抽出用バッグにおいて、袋体は二つ折り辺を分離して開封するものであり、前記二つ折り辺には易破断線が形成されていることを特徴とする抽出用バッグである。
【００１５】
請求項９の発明は、請求項１から７のいずれかに記載した抽出用バッグにおいて、袋体は、カップに係止したときに、いずれかの角頂部が下端にくるように、ホルダーが固着されていることを特徴とする抽出用バッグである。
【００１６】
請求項１０の発明は、連続した長尺の包材シートであって、その長手側に当たる縦方向両縁部を互いに重ね合わせ縦シールして筒状にすると共に、前記筒状体に対して所定の間隔をおいて上下二箇所から横シールすることにより、請求項８に記載した抽出用バッグに製袋化するのに使用するホルダー固着済みの包材シート。
【発明の効果】
【００１７】
本発明の抽出用バッグによれば、カップに設置し、抽出作業を進行させたときに、安定的に袋体を持上げ支持できる。
また、本発明の抽出用バッグは、サイドフックタイプなので、被充填物を充填しながら縦横シールする製袋充填装置を利用して製造できる。
さらに、本発明の抽出用バッグは、開口を包材シートの折り辺を利用して形成できるので、この折り辺を切り離すようにすれば、バッグ側から分離するものはなく、分離ゴミを出さない。
【図面の簡単な説明】
【００１８】
【図１】本発明の第１の実施の形態に係る抽出用バッグの側面図である。
【図２】図１の抽出用バッグの平袋体のシール辺を分離して展開した平面図である。
【図３】図１の抽出用バッグの平袋体を開封して開口が形成されていく過程を示す説明図である。
【図４】図３に続いて、抽出用バッグのホルダーが引き起こされていく過程を示す説明図である。
【図５】図４に続いて、抽出用バッグをカップに係止させた状態を示す斜視図である。
【図６】図５の状態を上側から見た説明図である。
【図７】図１の抽出用バッグの製造に使用する包材シートの平面図である。
【図８】図７の包材シートから抽出用バックが製造される過程の説明図である。
【図９】本発明の第２の実施の形態に係る抽出用バッグの側面図である。
【発明を実施するための形態】
【００１９】
本発明の第１の実施の形態に係る抽出用バッグ１を図面にしたがって説明する。
図１に示すように、抽出用バッグ１は、平袋体３と、この平袋体３が開封されて立体状になった状態を支持しながらカップの開口縁に係止させるためのホルダー２１とを有している。
平袋体３は、濾紙や不織布等からなるフィルター機能を有する包材シート５で構成されている。この包材シート５は中央で二つ折りされており、この二つ折り辺７を介して矩形の両側面９、９に分かれている。この二つ折り辺７には細かいミシン目１１（図２）が形成されて易破断になっており、破断されると開口５７（図３）となる。重ね合った周縁部分である三辺１５、１７、１９側が超音波シール等の手段でシール封止されて扁平な平袋状に製袋化されており、シール辺１７が底辺になっている。平袋体３内にはコーヒー粉Ｐが充填されている。
【００２０】
各ホルダー２１は左右対称の形状をしており、袋体支持部２３を備えている。この袋体支持部２３は横長の長方形をしている。袋体支持部２３の左右方向の中心線には二つ折り線２５が形成されている。この二つ折り線２５の折り方向はその両側を二つ折り線２５に対して手前に引き起こす方向になっている。二つ折り線２５を跨いで、包材シート５との間に接着剤Ａが塗布され固着されている。
【００２１】
符号２７は引き起こし部を示し、この引き起こし部２７は帯状を成しており、全体として略「Ｃ」字を成すように構成されている。引き起こし部２７は、「Ｃ」字を上に凹状になるように横倒した状態で左右対称に配置されて、上記した袋体支持部２３をその左右両側と下側から包囲している。
この引き起こし部２７の下側部分２９が鈍角の頂角を有する三角形状になっており、その頂角を通って上下方向に延びる中心線に折り線３１が形成されている。この折り線３１の折り方向は折り線３１をその両側に対して手前に引き起こす方向になっている。すなわち、折り線３１を頂部として外方に張り出す方向になっている。
この下側部分２９の左右両端部にはそれぞれ垂直部分３３が連結しており、共に上方に延びている。下側部分２９と垂直部分３３との連続部には、上下方向に延びる折り線３５が形成されている。この折り線３５の折り方向は、下側部分２９を垂直部分３３に対して手前に引き起こす方向になっている。
【００２２】
各垂直部分３３の上端部には水平部分３７が連続しており、互いに近づく方向に延びている。この水平部分３７はその他の部分より幅広になって、袋体支持部２３の短辺の寸法に近づいている。
各水平部分３７の上半部は、袋体支持部２３より上側に延出しており、下半部側が上記した袋体支持部２３の左右方向側端部と連続しており、その連続部には上下方向に延びる折り線３９が形成されている。この折り線３９の折り方向は、垂直部分３３を袋体支持部２３に対して手前に引き起こす方向になっている。
【００２３】
引き起こし部２７と袋体支持部２３の間にはＵ字状の隙間があり、この左右両側にそれぞれ位置する垂直部分３３と水平部分３７と袋体支持部２３とで構成された逆凹状の矩形の切欠き部分で係止用逆凹部４１が構成されている。すなわち、係止用逆凹部４１の外方側部が垂直部分３３で、内方側部が袋体支持部２３で構成されており、外方側部が内方側部より下方に延長された部分に下側部分２９が連結されていることになる。水平部分３７の下縁がカップＣの開口縁Ｃ１（図６）に当接する当接部位４３となっている。
また、Ｕ字状の隙間部分を埋めて、袋体下側補強部４５が設けられている。この袋体下側補強部４５は、左右方向の中心線及びその近傍で、上側にある袋体支持部２３と連続しており、それ以外は線状の切込みにより分離されている。この連続部４７は、袋体支持部２３の接着剤Ａの塗布部分の下側に当る。
袋体下側補強部４５には全体にわたって接着剤Ａが塗布されて包材シート５に固着されている。
【００２４】
符号５１は、袋体上側補強部となっており、この袋体上側補強部５１は横長の長方形になっている。袋体上側補強部５１は、袋体支持部２３と、引き起こし部２７の両側の水平部分３７との間にできた矩形状の凹部を埋め、さらに上方に延出している。この袋体上側補強部５１は、左右方向の中心線及びその近傍で、下側にある袋体支持部２３と連続しており、それ以外は線状の切込みにより分離されている。この連続部５３は、袋体支持部２３の接着剤Ａの塗布部分の上側に当る。
【００２５】
袋体上側補強部５１にも全体にわたって接着剤Ａが塗布されて包材シート５に固着されている。
このように、接着剤Ａが塗布されており、図１及び後述の図２に示す斜線部分がその塗布部分となっている。
【００２６】
ホルダー２１は、上記したように構成されており、一枚のホルダーシートの打ち抜きにより、外縁が形成されると共に内方に切込みが形成されて各部に分かれている。また、外縁の角部には丸みが付けられている。
また、ホルダー２１は、図２の展開図に示すように、一つの平袋体３に対して一対備えられている。一対のホルダー２１、２１は平袋体３の両側面９、９に外方からそれぞれ被さり、固着されて一体化されており、二つ折り辺７を境に対称に配されている。ホルダー２１は、カップＣへのその当接部位４３、４３が、平袋体３の開口５７（図６）となる二つ折り辺７に平行に延びており、この上下方向でカップＣに設置されることになる。
この抽出用バッグ１によれば、引き起こし部２７の下側部分２９が、後述するように、カップＣに設置する際に摘み部として利用され、設置した後はカップＣを抱持する抱持部として機能する。
【００２７】
次に、カップＣへの設置作業を説明する。
図３（ａ）に示すように、抽出用バッグ１の平袋体３の両側面９の包材シート５をそれに固着した袋体上側補強部５１と共に親指Ｆ１と人差し指Ｆ２との間にそれぞれ挟んで摘み、図３（ｂ）に示すように、互いに離す方向に引っ張って、二つ折り辺７をミシン目１１に沿って切り開き、両側面９、９を分離する。これにより、開口５７が出来、充填していたコーヒー粉Ｐが露出する。
【００２８】
次に、図４に示すように、各摘み手（下側部分）２９の折り線３１を親指Ｆ１と人差し指Ｆ２とで掴んで、互いに離す方向に引っ張ると、袋体支持部２３は折り線３１の両側が包材シート５から離れると共に、引き起こし部２７の各水平部分３７が袋体支持部２３に対して折り線３９で折られ、垂直部分３３に対しては折り線３５で折られて外縁側を手前に向けて立ち上がって、二つの係止用逆凹部４１、４１が対向する。また、摘み手（下側部分）２９が、袋体支持部２３と並列したような姿勢で外方に張り出し、袋体支持部２３と引き起こし部２７とが折り線２５、３５、３９を角部とする角形のループを為す。
この状態で、図５に示すように、係止用逆凹部４１、４１を降ろして、カップＣの開口縁Ｃ１に係止させると共に、下側部分２９を抱持部としてカップＣの側部に外方から抱持させる。その際、抱持部（下側部分）２９の折り線３１も折られるので、抱持部（下側部分）２９は無理なく外方に十分に張出し、図６に示すように、カップＣの側部の曲面に二か所の当接部位Ｓ、Ｓで当たる。
【００２９】
一つの抽出用バッグ１に二つのホルダー２１が設けられているので、この二つのホルダー２１によって、平袋体３は開口５７が矩形状に大きく広がった立体的な状態で持ち上げ支持される。
湯を注ぐと、その重みで平袋体３を元の平袋状に戻そうとする方向に力が作用するが、上記したように、カップＣに沿わせた抱持部（下側部分）２９が、係止用逆凹部４１、４１の対向姿勢を保持する方向に働くので、係止用逆凹部４１、４１は最初の係止位置で安定的に維持され、それに固着された平袋体３も開口姿勢が維持される。
従って、ホルダー２１によって、平袋体３は開口５７が大きく広がった立体的な状態でそのまま安定的に支持され、抽出の進行により、カップＣ内の抽出液の量が増えても、そこに平袋体３が落下し、抽出液に浸漬することはない。
【００３０】
この実施の形態では、袋体支持部２３の上下に袋体補強部５１、４５を設けており、いずれも、袋体支持部２３と引き起こし部２７の間の隙間や袋体支持部２３の上側の凹部を利用し、切込みにより設けたものであり、ホルダー２１を無駄に大きくすることなく、平袋体３の支持強度を効率的に上げている。
しかも、袋体支持部２３や袋体上側補強部５１は、ある程度の面積を有しているので、「広告面」として利用することもできる。
また、平袋体３の開口５７はミシン目１１を切り開いて作り、平袋体３からは何も分離させないので、小さいゴミ片はできない。
【００３１】
抽出用バッグ１は、図７に示すように、一袋分の包材シート５を連続して長尺とした包材シート６１を利用して製造できる。
この連続した包材シート６１は上下方向が長手方向になっており、一対のホルダー２１が上下方向に一定の間隔をおいて重ね合わされて、固着されている。一対のホルダー２１どうしの間は二つ折り予定部になっており、ミシン目１１が形成されている。また、左右両側の一点鎖線部分は縦シール予定部６３になっている。また、上下方向の一点鎖線部分は横シール予定部６５になっている。上下に隣り合う横シール予定部６５、６５で区切られた部分が１つの平袋体３を形成する包材シート５になっている。一対のホルダー２１、２１が一袋分の包材シート５内に収まっている。
【００３２】
上記した構成の連続した包材シート６１を、製袋充填装置にかける。図８に示すように、製袋充填装置は、サイドフックタイプのホルダーを設けた抽出用バッグを製造する典型的なタイプのものであり、投入シュートＮと、縦シール手段Ｘと、横シール手段Ｙとを備えている。各シール手段は、超音波ホーンと受けロールとが対向した構成になっている。
投入シュートＮは円筒状で内部が被抽出物であるコーヒー粉Ｐを供給する通路になっている。
【００３３】
連続した包材シート６１はロール状に巻き取られており、そこから繰り出され、長手方向を下向きに投入シュートＮの外面に沿わせながら送り出される。途中で、二つ折りされ、縦シール手段Ｘにより縦シール予定部６３がシールアンドカットされシール辺１７が作られて、筒状体となっていく。
連続した包材シート６１は、さらに下向きに送り出され、今度は横シール手段Ｙにより横シール予定部６５がシールアンドカットされ、先行側にはシール辺１５が作られ、後続側には、シール辺１９が作られる。
【００３４】
先行側は、既にコーヒー粉Ｐが充填されているので、シール辺１５の形成によりシール封止されると共に、連続した包材シート６１から切り離され、完成した抽出用バッグ１として落下していく。後続側はシール辺１９の形成により底ができるので、コーヒー粉Ｐが投入・充填される。この後続側は、下向きに送り出されると、先行側と同様にシール辺１５が形成され、完成した抽出用バッグ１として落下していく。
このようにして、抽出用バッグ１が連続的に製造されていく。
【００３５】
上記したように、二つ折りする部位には、ミシン目１１が形成されているので、折られ易い。従って、特別、調整機構を設けずとも、平袋体３の二つ折り辺７にミシン目１１が綺麗に重なる。
【００３６】
本発明の第２の実施の形態に係る抽出用バッグ７１について、図９にしたがって説明する。
この抽出用バッグ７１は、第１の実施の形態に係る抽出用バッグ１と同様に、平袋体３とそれに固着されたホルダー２１とで構成されているが、ホルダー２１の固着位置が異なり、平袋体３に対して斜めに固着されている。
この平袋体３の角部には、易破断線としてのミシン目７３とシール線７５が平行に形成されており、開口はこのミシン目７３を切り裂き、その角部を分離し、さらにその両側のシール辺１７、１９を切り開いて形成する。
【００３７】
上記したように、開口は二つのシール辺１７、１９を利用しているので大きくなっている。また、このカップＣに設置したときには、対向側の角部７７が底頂部となって錐状形状となる。そのため、湯を注ぐとその湯が袋体内のコーヒー粉に十分にしみ込み、底頂部からカップ内に徐々に滴下することになり、コーヒー粉が十分に抽出されて、コーヒーの美味しさが存分に引き出されることになる。
【００３８】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、ドリップコーヒー用の抽出用バッグを例示したが、紅茶やハーブティーなどの抽出用バッグとしても同様に実施することができる。
【産業上の利用可能性】
【００３９】
本発明の抽出用バッグは製袋充填装置にかけて被充填物を充填しながら製袋できる。
【符号の説明】
【００４０】
１……抽出用バッグ（第１の実施の形態）
３……平袋体                          ５……包材シート
７……二つ折り辺                      ９……両側面
１１……ミシン目
１５、１７、１９…シール辺            ２１……ホルダー
２３……袋体支持部                    ２５……二つ折り線
２７……引き起こし部                  ２９……下側部分（摘み部、抱持部）
３１……折り線                        ３３……垂直部分
３５……折り線                        ３７……水平部分
３９……折り線                        ４１……係止用逆凹部
４３……（カップの開口縁への）当接部位
４５……袋体下側補強部                ４７……連続部
５１……袋体上側補強部                ５３……連続部
５７……開口
Ｐ……コーヒー粉                      Ａ……接着剤
Ｃ……カップ                        Ｃ１……（カップの）開口縁
Ｓ……（下側部分のカップへの）当接部位
６１……連続した長尺の包材シート      ６３……縦シール予定部
６５……横シール予定部
７１……抽出用バッグ（第２の実施の形態）
７３……ミシン目                        ７５…シール線
７７……角部
【図１】
2015146932.tif 000003
【図２】
2015146932.tif 000004
【図３】
2015146932.tif 000005
【図４】
2015146932.tif 000006
【図５】
2015146932.tif 000007
【図６】
2015146932.tif 000008
【図７】
2015146932.tif 000009
【図８】
2015146932.tif 000010
【図９】
2015146932.tif 000011